【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
超吸収性ポリマー、及び、植物パルプ及び植物繊維を含むセルロース材料を含む天然繊維ケーキであって、超吸収性ポリマーが植物由来の堆肥化可能材料を含み、植物繊維が少なくともバナナ植物に由来し、植物パルプが少なくともバナナ植物に由来するパルプ化された植物繊維を含み、天然繊維ケーキが木材パルプを実質的に含まない、天然繊維ケーキ；
天然繊維ケーキの片側を覆う透過性表面シート；及び
天然繊維ケーキの反対側を覆う水不溶性裏面シートであって、バイオベース材料を含む水不溶性裏面シート
を含み、
天然繊維ケーキ、透過性表面シート及び水不溶性裏面シートが堆肥化可能である、生分解性吸収性物品。
【請求項２】
天然繊維ケーキが、バナナ植物、並びに、トウモロコシ、アバカ、コムギ、オオムギ、イネ、アサ、ソルガム、サトウキビ、パイナップル、ケナフ、サイザル、ジュート、茶の葉、及びそれらの組合せからなる群から選択される少なくとも1種の植物に由来する植物繊維を含む、請求項1に記載の生分解性吸収性物品。
【請求項３】
透過性表面シートが不織材料を含む、請求項1に記載の生分解性吸収性物品。
【請求項４】
超吸収性ポリマーが、セルロース材料と混合されて天然繊維ケーキを形成する、請求項1に記載の生分解性吸収性物品。
【請求項５】
天然繊維ケーキが約2から約14g/gの吸収性を有する、請求項1に記載の生分解性吸収性物品。
【請求項６】
天然繊維ケーキが約200kg/m3以下の密度を有する、請求項1に記載の生分解性吸収性物品。
【請求項７】
天然繊維ケーキが、約60から約99重量パーセントの植物パルプ、及び約40重量パーセント以下の植物繊維を含む、請求項1に記載の生分解性吸収性物品。
【請求項８】
物品全体が堆肥化可能である、請求項1に記載の生分解性吸収性物品。
【請求項９】
セルロース材料が、ビロード状の植物パルプ及びセルロース繊維の混合物を含む、請求項1に記載の生分解性吸収性物品。
【請求項１０】
セルロース材料が、約60から約99重量パーセントのセルロース繊維を含む、請求項1に記載の生分解性吸収性物品。
【請求項１１】
物品が、生理用ナプキン又は月経用パッドを含む、請求項1に記載の生分解性吸収性物品。
【請求項１２】
物品が、尿失禁用ナプキン、パッド、下着又はパンツ;生理用ナプキン又は月経用パッド;医療用又は外科用マット;ベッド用シーツ;補助的看護用マット;動物用のシーツ、マット又はパッド;ガーゼパッド又は包帯;ヒト又は動物用のおむつ;胸当て又は授乳パッド;又は脇の下パッド、を含むか、又はそれらに組み込まれている、請求項1に記載の生分解性吸収性物品。
【請求項１３】
植物繊維が、約20mmから約100mmの長さを有する、請求項7に記載の生分解性吸収性物品。
【請求項１４】
水不溶性裏面シートが、その上に、下着に一時的に貼り付けるように構成された接着層を有する、請求項1に記載の生分解性吸収性物品。
【請求項１５】
透過性表面シートが、織られた又は不織のバイオベースプラスチック、不織綿スパンレース、不織ジュートスパンレース、不織バナナ繊維スパンレース、又はそれらの組合せを含む、請求項1に記載の生分解性吸収性物品。
【請求項１６】
不織のバイオベースプラスチックが、ポリ酢酸、又はポリ-3-ヒドロキシブチレートを含む、請求項15に記載の生分解性吸収性物品。
【請求項１７】
超吸収性ポリマーが、バイオベースコポリマーを含む、請求項1に記載の生分解性吸収性物品。
【請求項１８】
バイオベースコポリマーが、トウモロコシ、藻類、サトウキビ、ジャガイモ、ヤムイモ、又はキャッサバに由来する、請求項17に記載の生分解性吸収性物品。
【請求項１９】
超吸収性ポリマーが、ポリマー及びデンプンの、無毒で生分解性の混合物を含む、請求項1に記載の生分解性吸収性物品。
【請求項２０】
超吸収性ポリマーが、デンプン-g-ポリ(2-プロペン酸)ナトリウム塩を含む、請求項1に記載の生分解性吸収性物品。
【請求項２１】
天然繊維ケーキ中のセルロース材料が、トウモロコシ、アバカ、コムギ、オオムギ、イネ、アサ、ソルガム、サトウキビ、パイナップル、ケナフ、サイザル、ジュート、バナナ、若しくは茶の葉、又はそれらの組合せに由来する、請求項1に記載の生分解性吸収性物品。
【請求項２２】
水不溶性裏面シートのバイオベース材料が、砂糖、デンプン又は生物起源の廃棄物に由来するバイオベースポリエステルを含む、請求項1に記載の生分解性吸収性物品。
【請求項２３】
水不溶性裏面シートのバイオベース材料が、トウモロコシベースのバイオプラスチックを含む、請求項1に記載の生分解性吸収性物品。
【請求項２４】
水不溶性裏面シートが、ナイロン、羊毛、綿、又はバナナベースの布を含む、請求項1に記載の生分解性吸収性物品。
【請求項２５】
超吸収性ポリマー、及び、植物パルプ及び植物繊維を含むセルロース材料を含む天然繊維ケーキであって、超吸収性ポリマーが植物由来の堆肥化可能材料を含み、植物繊維が少なくともアサに由来し、植物パルプが少なくともアサに由来するパルプ化された植物繊維を含み、天然繊維ケーキが木材パルプを実質的に含まない、天然繊維ケーキ；
天然繊維ケーキの片側を覆う透過性表面シート；及び
天然繊維ケーキの反対側を覆う水不溶性裏面シートであって、バイオベース材料を含む水不溶性裏面シート
を含み、
天然繊維ケーキ、透過性表面シート及び水不溶性裏面シートが堆肥化可能である、生分解性吸収性物品。
【請求項２６】
天然繊維ケーキが、アサ、並びに、トウモロコシ、アバカ、コムギ、オオムギ、イネ、ソルガム、サトウキビ、パイナップル、サイザル、ジュート、バナナ、茶の葉、及びそれらの組合せからなる群から選択される少なくとも1種の植物に由来する植物繊維を含む、請求項25に記載の生分解性吸収性物品。
【請求項２７】
超吸収性ポリマー、及び、植物パルプ及び植物繊維を含むセルロース材料を含む天然繊維ケーキであって、超吸収性ポリマーが植物由来の堆肥化可能材料を含み、植物繊維が少なくともケナフに由来し、植物パルプが少なくともケナフに由来するパルプ化された植物繊維を含み、天然繊維ケーキが木材パルプを実質的に含まない、天然繊維ケーキ；
天然繊維ケーキの片側を覆う透過性表面シート；及び
天然繊維ケーキの反対側を覆う水不溶性裏面シートであって、バイオベース材料を含む水不溶性裏面シート
を含み、
天然繊維ケーキ、透過性表面シート及び水不溶性裏面シートが堆肥化可能である、生分解性吸収性物品。
【請求項２８】
天然繊維ケーキが、ケナフ、並びに、トウモロコシ、アバカ、コムギ、オオムギ、イネ、アサ、ソルガム、サトウキビ、パイナップル、サイザル、ジュート、バナナ、茶の葉、及びそれらの組合せからなる群から選択される少なくとも1種の植物に由来する植物繊維を含む、請求項27に記載の生分解性吸収性物品。
【手続補正２】
【補正対象書類名】明細書
【補正対象項目名】００７４
【補正方法】変更
【補正の内容】
【００７４】
出願当初の、及び修正され得る、特許請求の範囲は、現在予期されていない又は正しく評価されていないもの、及び、例えば、出願人ら/特許権所有者らなどから起こり得るものを含む、本明細書に開示された実施形態及び教示の変形例、変更例、修正例、改良例、均等物、及び実質的な均等物を網羅する。
本発明の実施形態として例えば以下を挙げることができる。
［実施形態１］
植物パルプ及び植物繊維の混合物を含むセルロース材料を含む天然繊維ケーキを含む、吸収性物品。
［実施形態２］
植物パルプがビロード状の植物パルプである、実施形態1に記載の吸収性物品。
［実施形態３］
セルロース材料がバナナ繊維に由来する、実施形態1に記載の吸収性物品。
［実施形態４］
吸収性物品中の天然繊維ケーキが約2から約14g/gの吸収性を有する、実施形態1に記載の吸収性物品。
［実施形態５］
生分解性であり、かつ堆肥化可能である、実施形態1に記載の吸収性物品。
［実施形態６］
天然繊維ケーキが約60から約99重量パーセントの植物パルプ及び約1から約40重量パーセントの植物繊維を含み、植物繊維が長さ約20mmから約100mmを有する、実施形態1に記載の吸収性物品。
［実施形態７］
生分解性である、実施形態6に記載の吸収性物品。
［実施形態８］
植物パルプ及び植物繊維が、トウモロコシ、アバカ、コムギ、オオムギ、イネ、アサ、ソルガム、サトウキビ、パイナップル、ケナフ、サイザル、ジュート、バナナ、茶の葉、及びそれらの組合せからなる群から選択される少なくとも1種の植物に由来する、実施形態7に記載の吸収性物品。
［実施形態９］
天然繊維ケーキが約70から約90パーセントの植物パルプを含み、植物パルプがビロード状のバナナパルプである、実施形態6に記載の吸収性物品。
［実施形態１０］
天然繊維ケーキが約10から約30重量パーセントの植物繊維を含む、実施形態6に記載の吸収性物品。
［実施形態１１］
吸収性物品中の天然繊維ケーキが約2から約14g/gの吸収性を有する、実施形態6に記載の吸収性物品。
［実施形態１２］
天然繊維ケーキが約70から約200kg/m3の密度を有する、実施形態6に記載の吸収性物品。
［実施形態１３］
透過性表面シート、
水不溶性裏面シート、及び
場合により超吸収性ポリマーをさらに含み、
前記天然繊維ケーキが透過性表面シートと水不溶性裏面シートとの間にあり、吸収性物品が生分解性である、実施形態1に記載の吸収性物品。
［実施形態１４］
天然繊維ケーキが、トウモロコシ、アバカ、コムギ、オオムギ、イネ、アサ、ソルガム、サトウキビ、パイナップル、ケナフ、サイザル、ジュート、バナナ、茶の葉、及びそれらの組合せからなる群から選択される少なくとも1種の植物に由来する植物繊維を含む、実施形態13に記載の吸収性物品。
［実施形態１５］
植物繊維が少なくともバナナ植物に由来する、実施形態14に記載の吸収性物品。
［実施形態１６］
透過性表面シートが不織材料を含む、実施形態13に記載の吸収性物品。
［実施形態１７］
水不溶性裏面シートがバイオベースプラスチックを含む、実施形態13に記載の吸収性物品。
［実施形態１８］
植物由来の堆肥化可能なプラスチックを含む超吸収性ポリマーを含む、実施形態13に記載の吸収性物品。
［実施形態１９］
超吸収性ポリマーを含み、超吸収性ポリマーが2層の不織材料の間に挟まれてパウチを形成し、パウチが透過性表面シートと天然繊維ケーキの間に配置される、実施形態13に記載の吸収性物品。
［実施形態２０］
天然繊維ケーキが約2から約14g/gの吸収性を有する、実施形態13に記載の吸収性物品。
［実施形態２１］
天然繊維ケーキが約70から約200kg/m3の密度を有する、実施形態13に記載の吸収性物品。
［実施形態２２］
天然繊維ケーキが約60から約99重量パーセントの植物パルプ及び約1から約40重量パーセントの植物繊維を含み、植物繊維が長さ約20mmから約100mmを有する、実施形態13に記載の吸収性物品。